(57)【要約】【課題】  従来は、靴等の履物に装填される中敷きに挿入されるおもりの重さを使用者の年齢、体重、体調等合せて簡易迅速に調整することが困難であった。また、使用者が普段愛用している靴等の履物を使用して体力の増強、鍛錬を図ることも困難であった。【解決手段】  中敷き表面体と中敷き裏面体との間に曲線状に構成した中間挿入体が一体及び／又は介在され一つの中敷きを構成し、挿入片と連結片とからなる鉛製の略コの字型又は棒状等のおもりを該中敷きに形成されている孔に挿入し、該中敷きの重さ及び／又は硬さの微調整、迅速な調整を可能とし、知らず知らずの間に体力の増強、鍛錬を図ることを可能とする。【選択図】      図１
2006238901.tif 000002
【特許請求の範囲】
【請求項１】
平面視して略靴形の表面体と、略同じ形状の裏面体と、この表裏面体の間に設けたおもり挿入用の孔を形成する中間挿入体とでなる履物と中敷きの間に装填される中下敷きであって、
この中間挿入体の孔を前記中下敷きの幅方向に形成し、この孔に鉛製の略コの字型又は棒状等のおもりを抜き差し可能に構成し，このおもりの抜き差しで当該中下敷きの重さ及び／又は硬さを調整可能としたことを特徴とした中下敷き。
【請求項２】
平面視して略靴形の表面体と、略同じ形状の裏面体と、この表裏面体の間に設けたおもり挿入用の孔を形成する中間挿入体とでなる履物と中敷きの間に装填される中下敷きであって、
この中間挿入体の孔を前記中下敷きの幅方向に形成し、中下敷きの踵部にパイプを挿入し、この孔に鉛製の略コの字型又は棒状等のおもりを抜き差し可能に構成し，このおもりの抜き差しで当該中下敷きの重さ及び／又は硬さを調整可能としたことを特徴とした中下敷き。
【請求項３】
鉛製の略コの字型又は棒状等のおもりの挿入片が平面方向凹凸形状の構成とし、中間挿入体の孔を前記中下敷きの幅方向に形成し、この孔に鉛製の略コの字型又は棒状等のおもりを抜き差し可能に構成し，このおもりの抜き差しで当該中下敷きの重さ／及び又は硬さを調整可能としたことを特徴とした請求項１又は請求項２に記載の中下敷き。
【請求項４】
鉛製の略コの字型又は棒状等のおもりの挿入片が上下方向凹凸形状の構成とし、中間挿入体の孔を前記中下敷きの幅方向に形成し、この孔に鉛製の略コの字型又は棒状等のおもりを抜き差し可能に構成し，このおもりの抜き差しで当該中下敷きの重さ／及び又は硬さを調整可能としたことを特徴とした請求項１又は請求項２に記載の中下敷き。
【請求項５】
鉛製の略コの字型のおもりの挿入片が平面方向にテーパー形状を構成し、中間挿入体の孔を前記中下敷きの幅方向に形成し、この孔に鉛製の略コの字型のおもりを抜き差し可能に構成し、このおもりの抜き差しで当該中下敷きの重さ／及び又は硬さを調整可能としたことを特徴とした請求項１又は請求項２に記載の中下敷き。
【請求項６】
平面視して略靴形の表面体と、略同じ形状の裏面体と、この表裏面体の間に設けたおもり挿入用の孔を形成する中間挿入体とでなる履物に装填される中上敷きであって、
この中間挿入体の孔を前記中上敷きの幅方向に形成し、この孔に鉛製の略コの字型又は棒状等のおもりを抜き差し可能に構成し，このおもりの抜き差しで当該中上敷きの重さ及び／又は硬さを調整可能としたことを特徴とした中上敷き。
【請求項７】
平面視して略靴形の表面体と、略同じ形状の裏面体と、この表裏面体の間に設けたおもり挿入用の孔を形成する中間挿入体とでなる履物に装填される中上敷きであって、
この中間挿入体の孔を前記中上敷きの幅方向に形成し、中上敷きの踵部にパイプを挿入し、この孔に鉛製の略コの字型又は棒状等のおもりを抜き差し可能に構成し，このおもりの抜き差しで当該中上敷きの重さ及び／又は硬さを調整可能としたことを特徴とした中上敷き。
【請求項８】
鉛製の略コの字型又は棒状等のおもりの挿入片が平面方向凹凸形状の構成とし、中間挿入体の孔を前記中上敷きの幅方向に形成し、この孔に鉛製の略コの字型又は棒状等のおもりを抜き差し可能に構成し，このおもりの抜き差しで当該中上敷きの重さ／及び又は硬さを調整可能としたことを特徴とした請求項６又は請求項７に記載の中上敷き。
【請求項９】
鉛製の略コの字型又は棒状等のおもりの挿入片が上下方向凹凸形状の構成とし、中間挿入体の孔を前記中上敷きの幅方向に形成し、この孔に鉛製の略コの字型又は棒状等のおもりを抜き差し可能に構成し，このおもりの抜き差しで当該中上敷きの重さ／及び又は硬さを調整可能としたことを特徴とした請求項６又は請求項７に記載の中上敷き。
【請求項１０】
鉛製の略コの字型のおもりの挿入片が平面方向にテーパー形状を構成し、中間挿入体の孔を前記中上敷きの幅方向に形成し、この孔に鉛製の略コの字型のおもりを抜き差し可能に構成し、このおもりの抜き差しで当該中上敷きの重さ／及び又は硬さを調整可能としたことを特徴とした請求項６又は請求項７に記載の中上敷き。
【請求項１１】
請求項１、請求項２、請求項６、請求項７に記載の中下敷き又は中上敷きと、鉛製のおもりを略コの字型に加工できる鉛製おもりのセット。
【発明の詳細な説明】
【技術分野】
【０００１】
本発明は、体力を鍛錬するための、靴の中敷に関する。
【背景技術】
【０００２】
この体力鍛錬用中敷の発明に関する従来技術としては、粒球状金属重りと可撓性シート状部材で構成された「特開２０００−３４２３０３」（文献１）や、甲皮と中敷きと中間敷きとから構成され、中敷きと中間敷きとの間にスポンジが付着された運動靴において、中間敷きの内部に空間部が形成され、この空間部に、一定の間隔で金属棒及び管とが導入され、前記管には金属棒が挿入されることを特徴とする「実用新案登録第３０９２５４４号」（文献２）がある。さらに、一般のトレーニングシューズの内底面に敷置して靴全体重量を増大させるようにした中敷に関する「実開昭４９−４５７４３号」（文献３）がある。
【０００３】
即ち、「特開２０００−３４２３０３」は、歩行用靴に粒球状金属重り等で構成されている中敷きや、偏平箱型重りを入れ，足腰の鍛え方に応じて入れ替えができるとするものである。一方、「実用新案登録第３０９２５４４号」は、運動靴の中敷きの成形の際、多数の金属棒及び管を挿入して成形することにより、運動靴に重量を持たせて体力鍛錬に用いられるとともに、管の内部の孔に金属棒を挿入・抜き出しして、運動靴の重量を調整することができるものである。さらに、「実開昭４９−４５７４３号」は、適当な可撓性を有する素材より成る中敷本体の一面より多数の凹所を設け、該凹所内に適合する鉛その他の重量素材を充填して後、蓋覆したことを特徴とするトレーニングシューズ用中敷である。
【０００４】
【特許文献１】特開２０００−３４２３０３
【特許文献２】実用新案登録第３０９２５４４号
【特許文献３】実開昭４９−４５７４３号
【発明の開示】
【発明が解決しようとする課題】
【０００５】
しかしながら、上述した従来技術、例えば特開２０００−３４２３０３は、足腰鍛錬用の重りであるが、偏平箱型重りを足腰の鍛え方に応じて入れ替えることができるが、入れ替えることができるのは、クッション部材や粒球状金属重り、可撓性シート状部材等で一体形成されている中敷きや、偏平箱型重りであり、体力を増強、鍛錬するための重りの微調整や迅速な調整が困難となる場合もある。また、足腰にかかる負荷を多くするためには、該中敷き自体を増やさなければならないため、重り自体を増やす場合と比べて費用が嵩むという弊害が生じる虞がある。
【０００６】
一方、実用新案登録第３０９２５４４号は、体力鍛錬用運動靴であり、足腰に負荷を加えるための金属棒の挿入・抜き出しが可能となる構成となっているが、常に当該体力鍛錬用靴を使用することが必要となるため、例えば使用者の普段愛用している靴を使って体力の鍛錬を行うことが困難である。また、当該足腰鍛錬用運動靴において金属棒を挿入・抜き出しするための管を設けることとしているが、当該管を設けることとすると費用が嵩むという弊害が生じる虞がある。
【０００７】
さらに、実開昭４９−４５７４３号は、中敷き本体内に重量資材を充填するようにし、その充填量を着用者が任意に変更できるものであるが、中敷本体内に重量資材を充填してその上を蓋体で覆うものであるため、充填量の変更を迅速に行うことが困難となる場合がある。
【課題を解決するための手段】
【０００８】
そこで本発明は、従来技術に上述した解決すべき課題に鑑み第１の発明は、平面視して略靴形の表面体と、略同じ形状の裏面体と、この表裏面体の間に設けたおもり挿入用の貫通孔又は未貫通孔（孔。以下同じ。）を形成する中間挿入体とでなる靴と中敷きの間に装填される中下敷きであって、
この中間挿入体の貫通孔又は未貫通孔を前記中下敷きの幅方向に形成し、この貫通孔又は未貫通孔に鉛製の略コの字型又は棒状等のおもりを抜き差し可能に構成し，このおもりの抜き差しで当該中下敷きの重さ及び／又は硬さを調整可能としたことを特徴とした中下敷きである。
【０００９】
第２の発明は、平面視して略靴形の表面体と、略同じ形状の裏面体と、この表裏面体の間に設けたおもり挿入用の貫通孔又は未貫通孔を形成する中間挿入体とでなる靴と中敷きの間に装填される中下敷きであって、
この中間挿入体の貫通孔又は未貫通孔を前記中下敷きの幅方向に形成し、中下敷きの踵部にパイプを挿入し、この貫通孔又は未貫通孔に鉛製の略コの字型又は棒状等のおもりを抜き差し可能に構成し，このおもりの抜き差しで当該中下敷きの重さ及び／又は硬さを調整可能としたことを特徴とした中下敷きである。
【００１０】
第３の発明は、鉛製の略コの字型又は棒状等のおもりの挿入片が平面方向凹凸形状の構成とし、中間挿入体の貫通孔又は未貫通孔を前記中下敷きの幅方向に形成し、この貫通孔又は未貫通孔に鉛製の略コの字型又は棒状等のおもりを抜き差し可能に構成し，このおもりの抜き差しで当該中下敷きの重さ／及び又は硬さを調整可能としたことを特徴とした中下敷きである。
【００１１】
第４の発明は、鉛製の略コの字型又は棒状等のおもりの挿入片が上下方向凹凸形状の構成とし、中間挿入体の貫通孔又は未貫通孔を前記中下敷きの幅方向に形成し、この貫通孔又は未貫通孔に鉛製の略コの字型又は棒状等のおもりを抜き差し可能に構成し，このおもりの抜き差しで当該中下敷きの重さ／及び又は硬さを調整可能としたことを特徴とした中下敷きである。
【００１２】
第５の発明は、鉛製の略コの字型のおもりの挿入片が平面方向にテーパー形状を構成し、中間挿入体の貫通孔又は未貫通孔を前記中下敷きの幅方向に形成し、この貫通孔又は未貫通孔に鉛製の略コの字型のおもりを抜き差し可能に構成し、このおもりの抜き差しで当該中下敷きの重さ／及び又は硬さを調整可能としたことを特徴とした中下敷きである。
【００１３】
第６の発明は、平面視して略靴形の表面体と、略同じ形状の裏面体と、この表裏面体の間に設けたおもり挿入用の貫通孔又は未貫通孔を形成する中間挿入体とでなる靴に装填される中上敷きであって、
この中間挿入体の貫通孔又は未貫通孔を前記中上敷きの幅方向に形成し、この貫通孔又は未貫通孔に鉛製の略コの字型又は棒状等のおもりを抜き差し可能に構成し，このおもりの抜き差しで当該中上敷きの重さ及び／又は硬さを調整可能としたことを特徴とした中上敷きである。
【００１４】
第７の発明は、平面視して略靴形の表面体と、略同じ形状の裏面体と、この表裏面体の間に設けたおもり挿入用の貫通孔又は未貫通孔を形成する中間挿入体とでなる靴に装填される中上敷きであって、
この中間挿入体の貫通孔又は未貫通孔を前記中上敷きの幅方向に形成し、中上敷きの踵部にパイプを挿入し、この貫通孔又は未貫通孔に鉛製の略コの字型又は棒状等のおもりを抜き差し可能に構成し，このおもりの抜き差しで当該中上敷きの重さ及び／又は硬さを調整可能としたことを特徴とした中上敷きである。
【００１５】
第８の発明は、鉛製の略コの字型又は棒状等のおもりの挿入片が平面方向凹凸形状の構成とし、中間挿入体の貫通孔又は未貫通孔を前記中上敷きの幅方向に形成し、この貫通孔又は未貫通孔に鉛製の略コの字型又は棒状等のおもりを抜き差し可能に構成し，このおもりの抜き差しで当該中上敷きの重さ／及び又は硬さを調整可能としたことを特徴とした中上敷きである。
【００１６】
第９の発明は、鉛製の略コの字型又は棒状等のおもりの挿入片が上下方向凹凸形状の構成とし、中間挿入体の貫通孔又は未貫通孔を前記中上敷きの幅方向に形成し、この貫通孔又は未貫通孔に鉛製の略コの字型又は棒状等のおもりを抜き差し可能に構成し，このおもりの抜き差しで当該中上敷きの重さ／及び又は硬さを調整可能としたことを特徴とした中上敷きである。
【００１７】
第１０の発明は、鉛製の略コの字型のおもりの挿入片が平面方向にテーパー形状を構成し、中間挿入体の貫通孔又は未貫通孔を前記中上敷きの幅方向に形成し、この貫通孔又は未貫通孔に鉛製の略コの字型のおもりを抜き差し可能に構成し、このおもりの抜き差しで当該中上敷きの重さ／及び又は硬さを調整可能としたことを特徴とした中上敷きである。
【００１８】
第１１の発明は、請求項１、請求項２、請求項６、請求項７に記載の中下敷き又は中上敷きと、鉛製のおもりを略コの字型に加工できる鉛製おもりのセットであり、以上によって課題を解決するものである。
【発明の効果】
【００１９】
本発明は、以上のとおり説明したものであるから、以下に記載されるような効果を奏する。
【００２０】
請求項１に記載の発明は、平面視して略靴形の表面体と、略同じ形状の裏面体と、この表裏面体の間に設けたおもり挿入用の貫通孔又は未貫通孔を形成する中間挿入体とでなる靴と中敷きの間に装填される中下敷きであって、この中間挿入体の貫通孔又は未貫通孔を前記中下敷きの幅方向に形成し、この貫通孔又は未貫通孔に鉛製の略コの字型又は棒状等のおもりを抜き差し可能に構成し，このおもりの抜き差しで当該中下敷きの重さ及び／又は硬さを調整可能としたことを特徴とした中下敷きである。
【００２１】
したがって、請求項１に記載された発明は、鉛製の略コの字型又は棒状等のおもりの重さを使用者側で任意に変更できるため、使用者側の年齢、体重、体調等に合せて体力の増強及び鍛錬が図られることとなる。
【００２２】
請求項２に記載の発明は、平面視して略靴形の表面体と、略同じ形状の裏面体と、この表裏面体の間に設けたおもり挿入用の貫通孔又は未貫通孔を形成する中間挿入体とでなる靴と中敷きの間に装填される中下敷きであって、この中間挿入体の貫通孔又は未貫通孔を前記中下敷きの幅方向に形成し、中下敷きの踵部にパイプを挿入し、この貫通孔又は未貫通孔に鉛製の略コの字型又は棒状等のおもりを抜き差し可能に構成し，このおもりの抜き差しで当該中下敷きの重さ及び／又は硬さを調整可能としたことを特徴とした中下敷きである。
【００２３】
したがって、該中間挿入体の貫通孔又は未通貫通孔に衝撃吸収材であるパイプを設けたことにより、着地する際のクッション機能が高まり、足腰にかかる衝撃が緩和される。
【００２４】
請求項３に記載の発明は、鉛製の略コの字型又は棒状等のおもりの挿入片が平面方向凹凸形状の構成とし、中間挿入体の貫通孔又は未貫通孔を前記中下敷きの幅方向に形成し、この貫通孔又は未貫通孔に鉛製の略コの字型又は棒状等のおもりを抜き差し可能に構成し，このおもりの抜き差しで当該中下敷きの重さ／及び又は硬さを調整可能としたことを特徴とした中下敷きである。
【００２５】
したがって、中下敷きに挿入・抜き出しする鉛製の略コの字型又は棒状等のおもりが平面方向凹凸形状であるので中間挿入体に係合し、例えば、中下敷き自体を傾けてもおもりが飛び出し難いものである。
【００２６】
請求項４に記載の発明は、鉛製の略コの字型又は棒状等のおもりの挿入片が上下方向凹凸形状の構成とし、中間挿入体の貫通孔又は未貫通孔を前記中下敷きの幅方向に形成し、この貫通孔又は未貫通孔に鉛製の略コの字型又は棒状等のおもりを抜き差し可能に構成し、このおもりの抜き差しで当該中下敷きの重さ／及び又は硬さを調整可能としたことを特徴とした中下敷きである。
【００２７】
したがって、中下敷きの貫通孔又は未貫通孔に挿入・抜き出しする鉛製の略コの字型又は棒状等のおもりが上下方向凹凸形状であるので、おもりが中間挿入体に係止し、例えば、中下敷き自体を傾けてもおもりが飛び出し難いものである。さらに、凹凸形状が上下方向であるため、鉛製の略コの字型又は棒状等のおもりの突起部が足裏及び足裏のつぼを刺激し、健康維持及び増進が図られる。
【００２８】
請求項５に記載の発明は、鉛製の略コの字型のおもりの挿入片が平面方向にテーパー形状を構成し、中間挿入体の貫通孔又は未貫通孔を前記中下敷きの幅方向に形成し、この貫通孔又は未貫通孔に鉛製の略コの字型のおもりを抜き差し可能に構成し、このおもりの抜き差しで当該中下敷きの重さ／及び又は硬さを調整可能としたことを特徴とした中下敷きである。
【００２９】
したがって、該中下敷きの貫通孔又は未貫通孔に、鉛製の略コの字型等のおもりを該中下敷きの多数の貫通孔又は未貫通孔に挿入する際は略コの字型等のおもりの挿入片に圧力を加えながら挿入し、挿入後は、テーパー形状の鉛製の略コの字型等のおもりの復元力によりおもりの挿入片が中間挿入体に係止し、例えば、中下敷き自体を傾けてもおもりが飛び出し難いものである。
【００３０】
請求項６に記載の発明は、平面視して略靴形の表面体と、略同じ形状の裏面体と、この表裏面体の間に設けたおもり挿入用の貫通孔又は未貫通孔を形成する中間挿入体とでなる靴に装填される中上敷きであって、この中間挿入体の貫通孔又は未貫通孔を前記中上敷きの幅方向に形成し、この貫通孔又は未貫通孔に鉛製の略コの字型又は棒状等のおもりを抜き差し可能に構成し，このおもりの抜き差しで当該中上敷きの重さ及び／又は硬さを調整可能としたことを特徴とした中上敷きである。
【００３１】
したがって、鉛製の略コの字型又は棒状等のおもりの重さを使用者側で任意に変更できるため、使用者側の年齢、体重、体調等に合せて体力の鍛錬が図られることとなる。
【００３２】
請求項７に記載の発明は、平面視して略靴形の表面体と、略同じ形状の裏面体と、この表裏面体の間に設けたおもり挿入用の貫通孔又は未貫通孔を形成する中間挿入体とでなる靴に装填される中上敷きであって、この中間挿入体の貫通孔又は未貫通孔を前記中上敷きの幅方向に形成し、中上敷きの踵部にパイプを挿入し、この貫通孔又は未貫通孔に鉛製の略コの字型又は棒状等のおもりを抜き差し可能に構成し，このおもりの抜き差しで当該中上敷きの重さ及び／又は硬さを調整可能としたことを特徴とした中上敷きである。
【００３３】
したがって、該中間挿入体の貫通孔又は未貫通孔に衝撃吸収材であるパイプを設けたことにより、着地する際のクッション機能が高まり、足腰にかかる衝撃が緩和される。
【００３４】
請求項８に記載の発明は、鉛製の略コの字型又は棒状等のおもりの挿入片が平面方向凹凸形状の構成とし、中間挿入体の貫通孔又は未貫通孔を前記中上敷きの幅方向に形成し、この貫通孔又は未貫通孔に鉛製の略コの字型又は棒状等のおもりを抜き差し可能に構成し，このおもりの抜き差しで当該中上敷きの重さ／及び又は硬さを調整可能としたことを特徴とした中上敷きである。
【００３５】
したがって、中上敷きに挿入・抜き出しする鉛製の略コの字型又は棒状等のおもりが平面方向凹凸形状であるので、おもりが中間挿入体に係合し、例えば，中下敷き自体を傾けてもおもりが飛び出し難いものである。
【００３６】
請求項９に記載の発明は、鉛製の略コの字型又は棒状等のおもりの挿入片が上下方向凹凸形状の構成とし、中間挿入体の貫通孔又は未貫通孔を前記中上敷きの幅方向に形成し、この貫通孔又は未貫通孔に鉛製の略コの字型又は棒状等のおもりを抜き差し可能に構成し，このおもりの抜き差しで当該中上敷きの重さ／及び又は硬さを調整可能としたことを特徴とした中上敷きである。
【００３７】
したがって、中上敷きに挿入・抜き出しする鉛製の略コの字型又は棒状等のおもりが上下方向凹凸形状であるので、おもりが中間挿入体に係止し、例えば，中上敷き自体を傾けてもおもりが飛び出し難いものである。さらに、凹凸形状が上下方向であるため、鉛製の略コの字型又は棒状等のおもりの突起部が足裏及び足裏のつぼを刺激し、健康維持及び増進が図られる。
【００３８】
請求項１０に記載の発明は、鉛製の略コの字型のおもりの挿入片が平面方向にテーパー形状を構成し、中間挿入体の貫通孔又は未貫通孔を前記中上敷きの幅方向に形成し、この貫通孔又は未貫通孔に鉛製の略コの字型のおもりを抜き差し可能に構成し、このおもりの抜き差しで当該中上敷きの重さ／及び又は硬さを調整可能としたことを特徴とした中上敷きである。
【００３９】
したがって、該中上敷きの貫通孔又は未貫通孔に、鉛製の略コの字型のおもりを該中上敷きの多数の貫通孔又は未貫通孔に挿入する際は、略コの字型のおもりの挿入片に圧力を加えながら挿入し、挿入後は、テーパー形状の鉛製の略コの字型のおもりの復元力によりおもりの挿入片が中間挿入体に係止し、例えば，中上敷き自体を傾けてもおもりが飛び出し難いものである。
【００４０】
請求項１１に記載の発明は、請求項１、請求項２、請求項６、請求項７に記載の中下敷き又は中上敷きと、鉛製のおもりを略コの字型に加工できる鉛製おもりのセットである。
【００４１】
したがって、中下敷き又は中上敷きの使用者側において、鉛製のおもりを任意に加工でき、素人が簡単に細工できるため、使用者側において手軽に該おもりの重さの微調整が可能となり、使用者側の年齢、体重、体調等に合せて体力の増強、鍛錬が図られることとなる。
【００４２】
よって、本発明は、以下の様な有益な効果を奏する。即ち使用者が使い慣れている履物に本発明を装填して使用することによって、使い慣れた履物を使用して体力の増強を図ることができる。事故で負傷した場合等で身体の回復を図るため、自宅あるいは病院等でリハビリテーションを行う際に該中敷きを使用することによって、通常の靴等を使用した場合に比べておもりがあることによって足腰等に負荷がかかり、リハビリテーションの効果が増大する。体の筋肉をほぐすためや、リフレッシュするために行うストレッチを行う場合に、本発明を使用するとおもりの負荷によってストレッチの効果が増大する。おもりの重さを使用者側で容易に調整できるため、微調整が可能である。孔に竹炭や木材等を挿入することによって保温や脱臭効果が高まる。
【００４３】
さらに、我が国の高齢化は６５歳以上人口が総人口の２０％に迫っており、極めて急速に進行しており、高齢化社会は我が国の深刻な社会問題の一つである。したがって、高齢者が介護を必要としない、高齢者が自立して生活できることが望ましい。そのためには、本発明によって、高齢者が歩行する際に靴の中に該中敷きを装填し、おもりの負荷によって知らず知らずの間に高齢者の体力の増強・鍛錬が図られることとなり、高齢者が介護を必要としない、高齢者が自立できる社会が形成されることになる。
【発明を実施するための最良の形態】
【００４４】
以下、図面を使って、本発明の実施の形態を説明する。
【００４５】
本発明の中上敷きと中下敷きの構造は同一であるため、中上敷きと中下敷きの両方に該当する説明となる。したがって、中上敷きと中下敷きの両方を含む概念として「中敷き」とした。また、便宜上右足用の中敷きのみを表示しているが、左足用の中敷きにあっても同様の構造である。なお、おもりは代表的な図１０に記載したおもり１０について説明するが、図１１、図１２、図１３、図１５そして図１９に記載のおもりであっても同様に用いることことができることは勿論である。
【００４６】
まず図１は、中敷きに反対側から略コの字型のおもり１０を挿入した断面図を示しているが、中敷き表面体１と中敷き裏面体２の間に曲線状に構成した中間挿入体３が一体及び／又は介在され一つの中敷きを構成している。そして、鉛製の略コの字型のおもり１０又は棒状等のおもり１９を挿入するための多数の貫通孔又は未貫通孔４を前記中敷きの幅方向に形成した中敷きの貫通孔又は未貫通孔４に該鉛製の略コの字型のおもり１０又は棒状等のおもり１９を挿入し、該おもり１０又は１９の重さによる負荷をかけることにより、体力の鍛錬が図られることとなる。このように該おもり１０又は１９の調節が使用者側で容易に行えるため、使用者側の年齢、体重、体調等に合せて体力の鍛錬が図られることとなる。
【００４７】
また、該中敷きは、靴等の寸法及び形状に対応した形であり、可撓性を有する材料を用いて形成されている。中敷きの素材としては、皮革等の天然素材、植物繊維等の天然繊維、アクリル繊維、麻等の合成繊維、ＡＢＳ樹脂等の合成樹脂等を利用できる。また、織物等の編成体であってもよい。
【００４８】
中上敷き５の孔４に該鉛製の略コの字型のおもり１０又は棒状等のおもり１９を挿入して使用する場合、市販の履物用の中敷きを使用してもよい。また、一般的には、中上敷き５の貫通孔４に該鉛製の略コの字型のおもり１０又は棒状等のおもり１９を挿入して使用する場合、そのまま中上敷き５を靴に装填すれば足り、中下敷き６は不要である。
【００４９】
なお、孔４には、保温や脱臭効果を高めるため、竹炭や木材等を挿入することができる。
【００５０】
図２は、中敷きの斜視図であるが、図１と同じく、中敷き表面体１と中敷き裏面体２の間に曲線状に構成した中間挿入体３が一体及び／又は介在され一つの中敷きを構成している。そして、中敷き表面体１と中敷き裏面２の面積は略同じであるが、おもり挿入用の貫通孔又は未貫通孔４を形成する中間挿入体３の面積は中敷き表面１と中敷き裏面２の面積よりも狭い。したがって、中敷きの断面においては、中間挿入体３の部分が一段窪んだ構成となっている。
【００５１】
図３は、中敷きの貫通孔又は未貫通孔４に該鉛製の略コの字型のおもり１０を挿入し、中敷きの踵部７に衝撃吸収材としてのパイプ１８が挿入された状態を図示したものである。なお、図面においては、該おもり１０の位置を認識し易くするため、該おもり１０を中敷きからはみ出して図示しているが、実際使用する場合は該おもり１０が一段窪んだ部分に収容される構成となる。該おもり１０を挿入する場合は、中敷の一方のみ挿入してもよいが、より負荷を加えるためには中敷きの両側から該おもり１０を入れ違いに挿入するのが望ましい。
【００５２】
パイプ１８の素材としては、合成樹脂が望ましいが、これに限定されるものではない。具体的には、ＡＢＳ樹脂等の熱可塑性樹脂や、アミノ樹脂等の熱硬化性樹脂が挙げられる。その他，ＥＶＡ等の合成樹脂の発泡体からなるものでもよい。
【００５３】
図４は、鉛製の略コの字型のおもり１０を挿入するための多数の貫通孔又は未貫通孔４を前記中敷きの幅方向に形成した貫通孔又は未貫通孔４に該おもり１０を挿入した場合、該おもり１０の挿入片１１の間が貫通孔又は未貫通孔４で一つ分空く形となる状態を図示したものである。
【００５４】
図５は、鉛製の略コの字型のおもり１０を挿入するための多数の貫通孔又は未貫通孔４を前記中敷きの幅方向に形成した貫通孔又は未貫通孔４に該おもり１０を挿入した場合、該おもり１０の挿入片１１の間が貫通孔又は未貫通孔４でニつ分空く形となる状態を図示したものである。
【００５５】
図６は、鉛製の略コの字型のおもり１０を挿入するための多数の貫通孔又は未貫通孔４を前記中敷きの幅方向に形成した貫通孔又は未貫通孔４に該おもり１０を挿入した場合、該おもり１０の挿入片１１の間が貫通孔又は未貫通孔４で五つ分空く形となる状態を図示したものである。
【００５６】
図７は、履物８に中上敷き５、中下敷き６を装填した図である。一般的には、中上敷き５に該おもり１０又は１９を挿入して履物８に装填した場合、中下敷き６は不要となる。また、中下敷き６に該おもり１０又は１９を挿入して履物８に装填した場合、中下敷き６の上に市販の履物用中敷きを装着することもできる。但し、中上敷き５と中下敷き６の両方に該おもり１０又は１９を挿入して使用することもできる。ここで、履物８は、靴に限らず、サンダルやスリッパ等も含まれる。
【００５７】
図８は、中上敷き５の平面図である。該中上敷き５は、履物の寸法及び形状に対応した形であり、可撓性を有する材料を用いて形成されている。中下敷き６よりも大きめの構成となっている。なお、中上敷き５を製作する方法としては、中敷き表面体１と中敷き裏面体２と中間挿入体３接合させて製作する他、中敷き表面体１と中敷き裏面体２と中間挿入体３を一体として一枚の板状にして、中敷きの形に打ち抜いて製作する方法があるが、中敷きの形に打ち抜いて製作する方法はコスト面においてより安価な製品を製作することができる。
【００５８】
図９は、中下敷き６の平面図である。該中下敷き６は、履物８の寸法及び形状に対応した形であり、可撓性を有する材料を用いて形成されているが、中上敷き５よりも小さめの構成となっているため中上敷き５と履物８の間に装填し易い。なお、中下敷き６を製作する方法としては、中敷き表面体１と中敷き裏面体２と中間挿入体３接合させて製作する他、中敷き表面体１と中敷き裏面体２と中間挿入体３を一体として一枚の板状にして、中敷きの形に打ち抜く方法があるが、中敷きの形に打ち抜いて製作する方法はコスト面においてより安価な製品を製作することができる。
【００５９】
図１０は、鉛製の略コの字型のおもり１０の平面図である。該おもり１０は、２片の挿入片１１と２片の挿入片１１を繋ぐ連結片１２で構成されている。そして、連結片１２によっておもりの重さを増すことができる。即ち、図４において挿入されているおもりよりも図５において挿入されているおもりの方が重く、図５において挿入されているおもりよりも図６において挿入されているおもりの方が重い。なお、図１０〜図１３、図１５、図１９に記載されているおもりは、鉛製に限らず、中敷きに装填した場合に負荷がかかれば、どのような材質のものであってもかまわないことは勿論である。
【００６０】
図１１は、挿入片１１が平面方向凹凸形状の鉛製の略コの字型のおもり１３の平面図である。おもり１３の挿入片１１が平面方向に凹凸の波状を構成している。この波状の形状によって、中敷きの中間挿入体３に係止される。
【００６１】
図１２は、挿入片１１が上下方向凹凸形状の鉛製の略コの字型のおもり１４の平面図である。おもり１４の挿入片１１が上下方向に凹凸の波状を構成している。この波状の形状によって、中敷きの中間挿入体３に係止される。また、凹凸の波状の構成による突起１５によって、足裏及び足裏のつぼが刺激され、健康維持及び増進が図られる。
【００６２】
図１３は、挿入片１１が平面方向にテーパー形状を構成する、鉛製の略コの字型のおもり１６の平面図である。
【００６３】
図１４は、中敷きの踵部７に衝撃吸収材として挿入するパイプ１８の平面図である。
【００６４】
図１５は、中上敷き５又は中下敷き６と、略コの字型に加工できる鉛製おもり１７のセット９の平面図である。このセット９は、中上敷き５又は中下敷き６と、使用者側で任意に曲げることができるおもり１７で構成されている。なお、図１５では、便宜上セット９の中に入っている中敷きは一つとしているが、中上敷き５及び中下敷き６がセットの中に入って販売されることもある。また、おもり１７の本数は、数本であるが、場合によっては数十本の場合もある。なお、このおもりは、素人が簡単に細工できるものであるため、使用者側で容易に略コの字型等に加工できる。
【００６５】
図１６は、中敷きの貫通孔又は未貫通孔４に棒状等のおもり１９を挿入し、中敷きの踵部７に衝撃吸収材としてのパイプ１８が挿入された状態を図示したものである。
【００６６】
図１７は、棒状等のおもり１９の平面図である。該おもり１９の一端に、多数の貫通孔又は未貫通孔４に挿入・抜き出しが容易となるように頭部を設けた。
【図面の簡単な説明】
【００６７】
【図１】図１は、本発明の断面図である。
【図２】図２は、本発明の斜視図である。
【図３】図３は、鉛製の略コの字型のおもりとパイプを挿入した図である。
【図４】図４は、鉛製の略コの字型のおもりの挿入片の間が、貫通孔又は未貫通孔で１つ分のおもりを挿入した図である。
【図５】図５は、鉛製の略コの字型のおもりの挿入片の間が、貫通孔又は未貫通孔で２つ分のおもりを挿入した図である。
【図６】図６は、鉛製の略コの字型のおもりの挿入片の間が、貫通孔又は未貫通孔で５つ分のおもりを挿入した図である。
【図７】図７は、靴等の履物に中上敷き及び中下敷きを装填した図である。
【図８】図８は、中上敷きの平面図である。
【図９】図９は、中下敷きの平面図である。
【図１０】図１０は、鉛製の略コの字型のおもりの平面図である。
【図１１】図１１は、鉛製の略コの字型のおもりの挿入片が平面方向凹凸形状であるおもりの平面図である。
【図１２】図１２は、鉛製の略コの字型のおもりの挿入片が上下方向凹凸形状であるおもりの平面図である。
【図１３】図１３は、鉛製の略コの字型のおもりの挿入片が平面方向にテーパー形状であるおもりの平面図である。
【図１４】図１４は、パイプの平面図である。
【図１５】図１５は、中下敷き又は中上敷きと、鉛製のおもりを略コの字型等に加工できる鉛製おもりのセットの平面図である。
【図１６】図１６は、中敷きの貫通孔又は未貫通孔４に棒状等のおもり１９と、踵部にパイプが挿入された図である。
【図１７】図１７は、棒状等のおもり１９の平面図である。
【符号の説明】
【００６８】
１          中敷き表面体
２          中敷き裏面体
３          中間挿入体
４          孔
５          中上敷き
６          中下敷き
７          踵部
８          履物
９          中敷きセット
１０        鉛製の略コの字型のおもり
１１        挿入片
１２        連結片
１３        鉛製の略コの字型のおもりの挿入片が平面方向凹凸形状であるおもり
１４        鉛製の略コの字型のおもりの挿入片が上下方向凹凸形状であるおもり
１５        突起
１６        鉛製の略コの字型のおもりの挿入片が平面方向にテーパー形状であるおもり
１７        使用者側で容易に略コの字型に加工できるおもり
１８        パイプ
１９        棒状等のおもり
２０        頭部
【図１】
2006238901.tif 000003
【図２】
2006238901.tif 000004
【図３】
2006238901.tif 000005
【図４】
2006238901.tif 000006
【図５】
2006238901.tif 000007
【図６】
2006238901.tif 000008
【図７】
2006238901.tif 000009
【図８】
2006238901.tif 000010
【図９】
2006238901.tif 000011
【図１０】
2006238901.tif 000012
【図１１】
2006238901.tif 000013
【図１２】
2006238901.tif 000014
【図１３】
2006238901.tif 000015
【図１４】
2006238901.tif 000016
【図１５】
2006238901.tif 000017
【図１６】
2006238901.tif 000018
【図１７】
2006238901.tif 000019